(57)【要約】【課題】複数のＬＥＤを配置した看板灯を、太陽電池パネルによって発光させる。【解決手段】地上に立設したポールと、該ポールの上部先端に設置された太陽電池パネルと、該太陽電池パネルによって発電された電力を蓄電する蓄電池と、該蓄電池から放電された電力にて発光する複数のＬＥＤを配置した一対の看板灯とから構成され、前記太陽電池パネルの出力電圧から日の入り、日の出とを感知し、前記蓄電池から前記ＬＥＤへの放電を制御する制御装置を備え、また前記看板灯は該看板灯表面の看板表示と、照明とを兼ねる。【選択図】        図１
0003154581.tif 000002
【実用新案登録請求の範囲】
【請求項１】
ＬＥＤを照明光源として構成される照明看板であって、地上に立設したポールと、該ポールの上部先端に設置された太陽電池パネルと、該太陽電池パネルによって発電された電力を蓄電する蓄電池と、該蓄電池から放電された電力にて発光する複数のＬＥＤを配置した一対の看板灯とから構成され、前記太陽電池パネルの出力電圧から日の入り、日の出とを感知し、前記蓄電池から前記ＬＥＤへの放電を制御する制御装置を備え、また前記看板灯は該看板灯表面の看板表示と、照明とを兼ねることを特徴とするソーラー充電式看板灯。
【考案の詳細な説明】
【技術分野】
【０００１】
本考案は、看板灯であって、とくに太陽光発電によって得られた電力にて看板照明と、周囲の照明とが可能なソーラー充電式看板灯に関するものである。
【背景技術】
【０００２】
近年、ＬＥＤを使用した各種の照明装置が提案され商品化されている。ＬＥＤは従来の光源の構成と異なり、長寿命であり、消費電力が少ないという特徴がある。
【０００３】
この特徴を利用するＬＥＤを光源とした、看板および照明装置も多数提案されている。例えば、太陽光から得られる電力を充電用蓄電池に充電し、充電された電力によるＬＥＤの点灯によって看板に所定の文字・模様を浮き出させる太陽光発電を利用した夜光性看板がある（特許文献１参照。）。また、太陽光や風力などの自然エネルギーを利用し、商用電源の消費を節減できる発電手段を備えたＬＥＤ式看板もある（特許文献１参照。）。
【先行技術文献】
【特許文献】
【０００４】
【特許文献１】特開２００６−１５４５６６号公報
【特許文献２】特開２００６−３３７８８５号公報
【考案の概要】
【考案が解決しようとする課題】
【０００５】
しかしながら、上記特許文献１に提案されている技術は、従来から有る太陽電池を利用した看板装置であり、街灯として利用できる機構にはなっていないものであった。また、特許文献２に記載された技術は、手動開閉器によって看板への給電を行なう必要があり、また通常の商用電源との併用であるため維持費が掛かるという問題があった。
【０００６】
上記の問題点に鑑み本考案者は、太陽光を受光できれば設置場所を選ばずに設置することができ、商用電源からの電力供給を必要としないソーラー充電式看板灯を提供するに至った。
【課題を解決するための手段】
【０００７】
このため、本発明のソーラー充電式看板灯は、ＬＥＤを照明光源として構成される照明看板であって、地上に立設したポールと、該ポールの上部先端に設置された太陽電池パネルと、該太陽電池パネルによって発電された電力を蓄電する蓄電池と、該蓄電池から放電された電力にて発光する複数のＬＥＤを配置した一対の看板灯とから構成され、前記太陽電池パネルの出力電圧から日の入り、日の出とを感知し、前記蓄電池から前記ＬＥＤへの放電を制御する制御装置を備え、また前記看板灯は該看板灯表面の看板表示と、照明とを兼ねることを特徴とする。
【０００８】
尚、本考案に使用する蓄電池は、夜間時のＬＥＤ照明時間（１０時間として）の少なくとも３日間分の充電が可能なものが望ましい。
【考案の効果】
【０００９】
本考案に係るソーラー充電式看板灯によれば、ポールの上部先端に設置された太陽電池パネルと、該太陽電池パネルによって発電された電力を蓄電する蓄電池と、該蓄電池から放電された電力にて発光する複数のＬＥＤを配置した一対の看板灯とから構成されているため、商用電力を使用せずに太陽光を受光できる設置場所であれば、何処にでも設置することができるという効果を有する。
【００１０】
また、太陽電池パネルの出力電圧から日の入り、日の出とを感知し、前記蓄電池から前記ＬＥＤへの放電を制御する制御装置を備えており、また看板灯は該看板灯表面の看板表示と、照明とを兼ねて取り付けられているため、暗くなると自動的に点灯し、明るくなると充電することが可能であり、しかも看板表示だけでなく、周囲の簡易な照明として活用することができる。
【図面の簡単な説明】
【００１１】
【図１】本考案に係るソーラー充電式看板灯の一実施例を示す斜視図である。
【図２】図１の説明図である。
【図３】看板灯の拡大説明図である。
【図４】アクリル発光パネルの説明図である。
【考案を実施するための最良の形態】
【００１２】
以下、本考案を実施例を示す図面を参照しながら説明するが、本考案が本実施例に限定されないことは言うまでもない。図１は、本考案のソーラー充電式看板灯の一実施例を示す斜視図、図２は図１の説明図であり、図２（ａ）は正面説明図、図２（ｂ）は側面説明図、図３は看板灯の拡大説明図、図４はアクリル発光パネルの説明図である。
【実施例】
【００１３】
図１、図２に示すように、本考案のソーラー充電式看板灯１は、鋼製のポール２と、該ポール２の上方に取り付けられた太陽電池パネル３と、前記ポール２の所定高さに設置された１対の看板灯４、４と、看板灯４の下部に設置された電源ボックス５とから構成され、コンクリート基礎６上にアンカー７によって固定される。
【００１４】
太陽電池パネル３は、ポール２の上部に傾動可能に取り付けられ、ポール２が設置された地形や場所によって最適な角度に調節されて固定される。この太陽電池パネル３で発電された電力は、ポール２の内部を挿通して配線されたケーブル（図せず）によって電源ボックス５内の蓄電池８および制御装置９に送電され、さらに看板灯４に送電され後述するＬＥＤが発光する。尚、本実施例において一対の看板灯４、４はポール２の上面から見て略Ｖ字、且つ斜め下方に傾斜して配置されている。
【００１５】
蓄電池８および制御装置９は、電源ボックス５内に設置され、日中は太陽電池パネル３にて発電された電力を蓄電池８内に充電し、日の入り時には太陽電池パネル３の出力電圧低下に応じて制御装置９によって、蓄電池８への充電を遮断し、看板灯４への放電を開始する。また、日の出時には上記と逆の動作によって、太陽電池パネル３が発電した電力は蓄電池８内に充電される。
【００１６】
図３は看板灯４の拡大説明図であり、図３（ａ）は側面説明図、図３（ｂ）は正面説明図である。図に示すように、看板灯４は裏面を開放した鋼製の筐体１０と、この筐体１０の内側から開放面側に向けて取り付けられたアクリル発光パネル１３からなり、筐体１０の長手方向の両端に設けられた取り付け片１２、１２を介し、ボルト（図示せず）によって上記ポール２に夫々取り付けられる。
【００１７】
図４はアクリル発光パネル１３を示し、厚さ１０ｍｍの片面に白色シートを貼着した透明アクリル板１１からなり、長手方向端面側にはＬＥＤが線状に複数配置されたＬＥＤ基板１４が埋め込まれており、電源ケーブル１５が接続されている。
【００１８】
上記の構成の看板灯４は、電源ケーブル１５に送電することによって、アクリル発光パネル１３のＬＥＤ基板１４からの発光によって透明アクリル板１１の透明側から均一に発光し、文字・図形など（図示せず）を明るく表示すことができる。また、この透明アクリル板１１の透明側からの発光はポール２の周囲の照明としても活用できる。
【００１９】
以上、本考案のソーラー充電式看板灯によれば、商用電力を使用せずに太陽光を受光できれば設置場所であれば、何処にでも設置することができる。また、太陽電池パネルの出力電圧から日の入り、日の出とを感知し、蓄電池からＬＥＤへの放電を制御する制御装置を備えており、暗くなると自動的に点灯し、明るくなると蓄電池に充電することができる。そして、看板灯は該看板灯表面の看板表示と、照明とを兼ねて取り付けられており、看板表示だけでなく、周囲の簡易な照明として活用することができる。
【符号の説明】
【００２０】
１              ソーラー充電式看板灯
２              ポール
３              太陽電池パネル
４              看板灯
５              電源ボックス
６              コンクリート基礎
７              アンカー
８              蓄電池
９              制御装置
１０              筐体取り付け片
１１              透明アクリル板
１２              取り付け片
１３              アクリル発光パネル
１４              ＬＥＤ基板
１５              電源ケーブル
【図１】
0003154581.tif 000003
【図２】
0003154581.tif 000004
【図３】
0003154581.tif 000005
【図４】
0003154581.tif 000006